(57)【要約】【課題】ブルートゥースによるハンズフリー通話とＷＬＡＮによるファイル転送とを行うことを可能にした無線通信システムにおける消費電力を低減する「無線通信システムおよび無線通信の電力削減方法」を提供する。【解決手段】ＷＬＡＮ経由でファイル転送を行うファイル転送部１１，２１と、ブルートゥース経由でハンズフリー通話を行うハンズフリー通話部１４，２４とを備えた無線通信システムにおいて、待ち受け部１２，２２で発信または着信を検出した場合に、ＷＬＡＮを利用してブルートゥースを起動し、起動したブルートゥースにより車載機１０と携帯端末２０とを無線接続するブルートゥース起動部１３，２３を備え、ハンズフリー通話の発信または着信が発生する前はブルートゥースを非動作状態にしておき、発信または着信が発生した時点でブルートゥースを起動してハンズフリー通話を行うことができるようにする。【選択図】図１
2014082563.tif 000002
【特許請求の範囲】
【請求項１】
車載機と携帯端末とをブルートゥースにより無線接続してハンズフリー通話を行うとともに、上記ブルートゥース以外の無線通信手段により上記車載機と上記携帯端末とを無線接続してファイル転送を行うことを可能にした無線通信システムであって、
上記ハンズフリー通話の発信または着信を待機し、上記発信または着信が発生したか否かを監視する待ち受け部と、
上記待ち受け部により上記発信または着信が発生したと判定された場合、上記ブルートゥース以外の無線通信手段により上記車載機と上記携帯端末との間で上記ブルートゥースを起動し、上記車載機と上記携帯端末とを上記ブルートゥースにより無線接続するブルートゥース起動部と、
上記ブルートゥース起動部により起動されたブルートゥースにより上記ハンズフリー通話を行うハンズフリー通話部とを備えたことを特徴とする無線通信システム。
【請求項２】
上記ブルートゥース起動部は、上記待ち受け部により上記携帯端末にて上記着信が発生したと判定された場合、上記携帯端末において上記ブルートゥースを起動した後、上記ブルートゥース以外の無線通信手段により着信通知を上記車載機に行うことによって上記車載機において上記ブルートゥースを起動し、これによって上記車載機と上記携帯端末とを上記ブルートゥースにより無線接続することを特徴とする請求項１に記載の無線通信システム。
【請求項３】
上記ブルートゥース起動部は、上記待ち受け部により上記携帯端末にて上記発信が発生したと判定された場合、上記携帯端末において上記ブルートゥースを起動した後、上記ブルートゥース以外の無線通信手段により発信通知を上記車載機に行うことによって上記車載機において上記ブルートゥースを起動し、これによって上記車載機と上記携帯端末とを上記ブルートゥースにより無線接続することを特徴とする請求項１に記載の無線通信システム。
【請求項４】
上記ブルートゥース起動部は、上記待ち受け部により上記車載機にて上記発信が発生したと判定された場合、上記車載機において上記ブルートゥースを起動した後、上記ブルートゥース以外の無線通信手段により発信通知を上記携帯端末に行うことによって上記携帯端末において上記ブルートゥースを起動し、これによって上記車載機と上記携帯端末とを上記ブルートゥースにより無線接続することを特徴とする請求項１に記載の無線通信システム。
【請求項５】
車載機と携帯端末とをブルートゥースにより無線接続してハンズフリー通話を行うとともに、上記ブルートゥース以外の無線通信手段により上記車載機と上記携帯端末とを無線接続してファイル転送を行うことを可能にした無線通信システムにおける無線通信の電力削減方法であって、
上記車載機および上記携帯端末の待ち受け部が、上記ハンズフリー通話の発信または着信を待機し、上記発信または着信が発生したか否かを監視する第１のステップと、
上記車載機および上記携帯端末のブルートゥース起動部が、上記待ち受け部により上記発信または着信が発生したと判定された場合、上記ブルートゥース以外の無線通信手段により上記車載機と上記携帯端末との間で上記ブルートゥースを起動し、上記車載機と上記携帯端末とを上記ブルートゥースにより無線接続する第２のステップとを有し、
上記待ち受け部により上記発信または着信が発生したと判定される前は上記ブルートゥースを非動作状態としておくようにしたことを特徴とする無線通信の電力削減方法。
【発明の詳細な説明】
【技術分野】
【０００１】
本発明は、無線通信システムおよび無線通信の電力削減方法に関し、特に、ブルートゥースおよびそれ以外の無線通信手段を用いて、車載機と携帯端末との間でハンズフリー通話やファイル転送を行うことを可能にした無線通信システムに用いて好適なものである。
【背景技術】
【０００２】
従来、ハンズフリー通話を実現するためのハンズフリーユニットを備えた車載機が知られている（例えば、特許文献１参照）。ハンズフリーユニットには、携帯電話機と有線で接続するタイプに加えて、近距離無線通信規格の１つであるブルートゥースにより携帯電話機と無線で接続するタイプが存在する。近年では、後者のブルートゥースを利用した無線タイプがよく使われている。
【０００３】
ブルートゥースは、その通信機能を搭載した機器の通信ネットワークへの接続が自動的に行われるタイプの無線通信システムである。そのため、ブルートゥース機能を搭載した携帯電話機の識別情報をハンズフリーユニットにあらかじめ登録しておくと、通信可能範囲内に存在する携帯電話機はハンズフリーユニットと自動的にブルートゥース接続され、通信可能な状態となる。この状態で携帯電話機において着信または発信が行われると、ハンズフリーユニットを介してハンズフリー通話を行うことが可能となる。
【０００４】
また、最近では、ブルートゥース以外にも、無線ＬＡＮ（ＷＬＡＮ）を利用して携帯電話機と車載機とを接続可能にする仕組みが提供されている。例えば、ＷＬＡＮを利用して携帯電話機から車載機に対して音楽データ等のファイルを転送し、車載機において音楽再生を行うシステムが知られている。
【先行技術文献】
【特許文献】
【０００５】
【特許文献１】特開２００３−２１８９９６号公報
【発明の概要】
【発明が解決しようとする課題】
【０００６】
しかしながら、ブルートゥースとＷＬＡＮとの両方を起動していると、車載機および携帯電話機の消費電力が大きくなってしまうという問題があった。特に、ハンズフリー通話のために使用するブルートゥースは、発信や着信のない待ち受け状態のときには実質的な通信を行っていないにもかかわらず、車載機と携帯電話機との接続状態を維持しておく必要があり、電力的に無駄と考えられる。
【０００７】
本発明は、このような問題を解決するために成されたものであり、ブルートゥースによるハンズフリー通話とブルートゥース以外の無線通信手段（ＷＬＡＮなど）によるファイル転送とを行うことを可能にした無線通信システムにおける消費電力を低減できるようにすることを目的とする。
【課題を解決するための手段】
【０００８】
上記した課題を解決するために、本発明では、ブルートゥースによるハンズフリー通話と、ブルートゥース以外の無線通信手段によるファイル転送とを行うことを可能にした無線通信システムにおいて、ハンズフリー通話の発信または着信が発生した場合に、ブルートゥース以外の無線通信手段を利用してブルートゥースを起動し、起動したブルートゥースにより車載機と携帯端末とを無線接続してハンズフリー通話を行うようにしている。
【発明の効果】
【０００９】
上記のように構成した本発明によれば、ハンズフリー通話の発信または着信が発生する前は、ブルートゥースを非動作状態にしておくことができ、発信または着信が発生した時点でブルートゥースを起動してハンズフリー通話を行うようにすることができる。このため、ブルートゥース以外の無線通信手段によってファイル転送を行いつつハンズフリー通話の待ち受け動作を行い、発信または着信があったときだけブルートゥースによる無線通信を動作させるようにすることができる。これにより、ハンズフリー通話の待ち受け時にブルートゥースを非動作状態にしておく分だけ消費電力を低減することができる。
【図面の簡単な説明】
【００１０】
【図１】本実施形態による無線通信システムの構成例を示すブロック図である。
【図２】本実施形態による無線通信システムの動作例を示すフローチャートである。
【図３】本実施形態による無線通信システムの別の動作例を示すフローチャートである。
【発明を実施するための形態】
【００１１】
以下、本発明の一実施形態を図面に基づいて説明する。図１は、本実施形態による無線通信システム１００の構成例を示すブロック図である。図１に示すように、本実施形態の無線通信システム１００は、車載機１０と携帯端末２０とを備え、両者を無線で接続可能に構成されている。本実施形態では、車載機１０と携帯端末２０との間で、ブルートゥースによりハンズフリー通話を行うとともに、ＷＬＡＮによりファイル転送を行う。
【００１２】
図１に示すように、車載機１０は、その機能構成として、ファイル転送部１１、待ち受け部１２、ブルートゥース起動部１３およびハンズフリー通話部１４を備えている。また、携帯端末２０は、その機能構成として、ファイル転送部２１、待ち受け部２２、ブルートゥース起動部２３およびハンズフリー通話部２４を備えている。
【００１３】
ファイル転送部１１，２１は、無線通信手段としてＷＬＡＮを用いて、車載機１０と携帯端末２０との間でファイル転送を行う。例えば、ＷＬＡＮを利用して携帯端末２０から車載機１０に対して音楽ファイルを転送し、車載機１０において音楽再生を行う。なお、車載機１０における音楽再生のための機能については図示を省略している。
【００１４】
待ち受け部１２，２２は、ハンズフリー通話の発信または着信を待機し、発信または着信が発生したか否かを監視する。車載機１０の待ち受け部１２は、ハンズフリー通話の発信を待機し、発信が発生したか否か（すなわち、ユーザにより相手先電話番号への発信操作が行われたか否か）を監視する。また、携帯端末２０の待ち受け部２２は、ハンズフリー通話の発信または着信を待機し、発信が発生したか否か（すなわち、ユーザにより相手先電話番号への発信操作が行われたか否か）または相手先からの着信が発生したか否かを監視する。
【００１５】
ブルートゥース起動部１３，２３は、待ち受け部１２，２２により発信または着信が発生したと判定された場合、ＷＬＡＮを利用して車載機１０と携帯端末２０との間でブルートゥースを起動し、車載機１０と携帯端末２０とをブルートゥースにより無線接続する。
【００１６】
具体的には、携帯端末２０の待ち受け部２２により着信が発生したと判定された場合、まずは携帯端末２０のブルートゥース起動部２３においてブルートゥースを起動した後、ＷＬＡＮ経由で車載機１０に対して着信通知を行う。次に、この着信通知を受けて、車載機１０のブルートゥース起動部１３においてブルートゥースを起動する。このように、携帯端末２０での着信の発生に応じてブルートゥース起動部１３，２３がＷＬＡＮ経由でブルートゥースを起動することにより、車載機１０と携帯端末２０との間をブルートゥースにより無線接続する。
【００１７】
また、携帯端末２０の待ち受け部２２により発信が発生したと判定された場合も、まずは携帯端末２０のブルートゥース起動部２３においてブルートゥースを起動する。その後、ＷＬＡＮ経由で車載機１０に対して発信通知を行う。そして、この発信通知を受けて、車載機１０のブルートゥース起動部１３においてブルートゥースを起動する。このように、携帯端末２０での発信の発生に応じてブルートゥース起動部１３，２３がＷＬＡＮ経由でブルートゥースを起動することにより、車載機１０と携帯端末２０との間をブルートゥースにより無線接続する。
【００１８】
また、車載機１０の待ち受け部１２により発信が発生したと判定された場合、まずは車載機１０のブルートゥース起動部１３においてブルートゥースを起動し、ＷＬＡＮ経由で携帯端末２０に対して発信通知を行う。そして、この発信通知を受けて、携帯端末２０のブルートゥース起動部２３においてブルートゥースを起動する。このように、車載機１０での発信の発生に応じてブルートゥース起動部１３，２３がＷＬＡＮ経由でブルートゥースを起動することにより、車載機１０と携帯端末２０との間をブルートゥースにより無線接続する。
【００１９】
ハンズフリー通話部１４，２４は、ブルートゥース起動部１３，２３により起動されたブルートゥースによりハンズフリー通話を行う。すなわち、図示しないマイクから車載機１０のハンズフリー通話部１４（ハンズフリーユニット）に入力された送話音声がブルートゥース経由で携帯端末２０に転送され、ハンズフリー通話部２４によって携帯端末２０から電話の相手先に送られる。また、携帯端末２０にて受信した相手先からの受話音声がハンズフリー通話部２４によりブルートゥース経由で車載機１０に転送され、ハンズフリー通話部１４によって図示しないスピーカから出力される。
【００２０】
なお、ファイル転送部１１，２１の機能は、車載機１０および携帯端末２０の双方に記憶されたファイル転送用のソフトウェアによって実現される。また、待ち受け部１２，２２およびハンズフリー通話部１４，２４の機能は、車載機１０および携帯端末２０の双方に記憶されたハンズフリー通話用のソフトウェアによって実現される。また、ブルートゥース起動部１３，２３の機能は、車載機１０および携帯端末２０の双方に記憶されたブルートゥース起動用のソフトウェアによって実現される。ファイル転送用のソフトウェアとハンズフリー通話用のソフトウェアは、公知のものを用いることが可能である。
【００２１】
図２は、上記のように構成した本実施形態による無線通信システム１００の動作例を示すフローチャートである。なお、図２に示すフローチャートは、携帯端末２０に着信が発生したときに開始する。携帯端末２０において着信が発生する前は、ブルートゥースは非動作状態となっている。
【００２２】
まず、携帯端末２０の待ち受け部２２が、着信の発生を検知する（ステップＳ１）。すると、携帯端末２０のブルートゥース起動部２３がブルートゥースを起動するとともに（ステップＳ２）、ＷＬＡＮ経由で車載機１０に対して着信通知を行う（ステップＳ３）。
【００２３】
次に、車載機１０では、携帯端末２０からの着信通知を受けて、車載機１０のブルートゥース起動部１３においてブルートゥースを起動するとともに（ステップＳ４）。ＷＬＡＮ経由で携帯端末２０に対して応答通知を行う（ステップＳ５）。これにより、車載機１０と携帯端末２０との間がブルートゥースにより無線接続される。
【００２４】
その後、ハンズフリー通話部１４，２４は、ブルートゥース起動部１３，２３により起動されたブルートゥースによりハンズフリー通話を行う（ステップＳ６，Ｓ７）。そして、このハンズフリー通話の終了をもって、図２に示すフローチャートの処理が終了する。
【００２５】
図３は、本実施形態による無線通信システム１００の別の動作例を示すフローチャートである。なお、図３に示すフローチャートは、車載機１０において発信が発生したときに開始する。車載機１０において発信が発生する前は、ブルートゥースは非動作状態となっている。
【００２６】
まず、車載機１０の待ち受け部１２が、発信の発生を検知する（ステップＳ１１）。すると、車載機１０のブルートゥース起動部１３がブルートゥースを起動するとともに（ステップＳ１２）、ＷＬＡＮ経由で携帯端末２０に対して発信通知を行う（ステップＳ１３）。
【００２７】
次に、携帯端末２０では、車載機１０からの発信通知を受けて、携帯端末２０のブルートゥース起動部２３においてブルートゥースを起動するとともに（ステップＳ１４）。ＷＬＡＮ経由で車載機１０に対して応答通知を行う（ステップＳ１５）。これにより、車載機１０と携帯端末２０との間がブルートゥースにより無線接続される。
【００２８】
その後、ハンズフリー通話部１４，２４は、ブルートゥース起動部１３，２３により起動されたブルートゥースによりハンズフリー通話を行う（ステップＳ１６，Ｓ１７）。そして、このハンズフリー通話の終了をもって、図３に示すフローチャートの処理が終了する。
【００２９】
以上詳しく説明したように、本実施形態では、ハンズフリー通話の発信または着信が発生した場合に、ＷＬＡＮを利用してブルートゥースを起動し、起動したブルートゥースにより車載機１０と携帯端末２０とを無線接続してハンズフリー通話を行うようにしている。
【００３０】
このように構成した本実施形態によれば、ハンズフリー通話の発信または着信が発生する前は、ブルートゥースを非動作状態にしておくことができ、発信または着信が発生した時点でブルートゥースを起動してハンズフリー通話を行うようにすることができる。このため、ＷＬＡＮによってファイル転送を行いつつハンズフリー通話の待ち受け動作を行い、発信または着信があったときだけブルートゥースによる無線通信を動作させるようにすることができる。これにより、ハンズフリー通話の待ち受け時にブルートゥースを非動作状態にしておく分だけ消費電力を低減することができる。
【００３１】
なお、上記実施形態では、ファイル転送を行うための無線通信手段としてＷＬＡＮを用いる例について説明したが、本発明はＷＬＡＮに限定されない。ＷＬＡＮ以外の無線通信手段であってもよい。
【００３２】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００３３】
１０  車載機
２０  携帯端末
１１，２１  ファイル転送部
１２，２２  待ち受け部
１３，２３  ブルートゥース起動部
１４，２４  ハンズフリー通話部
【図１】
2014082563.tif 000003
【図２】
2014082563.tif 000004
【図３】
2014082563.tif 000005